(57)【要約】      （修正有） 【課題】好みの暗証内容に設定できて使い勝手がいいダイヤル式サークル錠を提供する。 【解決手段】錠枠１内に収容した閂棒２を突出入させサークル錠の枠体を施錠／開錠するサークル錠本体３と、前記サークル錠本体３の一側部にて所定の回転軸周りをそれぞれ回転操作可能に列設された複数のダイヤル環５からなるダイヤル環列と、前記ダイヤル環列のいずれか一端側の近接位置に設けられた可動式の設定変更スイッチ６と、ダイヤル環列の前記一端側の端部にてスイッチ動作可能に設けられると共にこのスイッチ動作により施錠したサークル錠本体３を開錠させる開錠スイッチ８と、ダイヤル環列の各ダイヤル環５の内側にそれぞれ嵌め込み固定され、ダイヤル環５と共に回転することで開錠スイッチ８のスイッチ動作を制限する複数の開錠制限手段とを具備する。設定変更スイッチ６のスイッチ動作時にのみ各ダイヤル環５の開錠設定が変更可能となる。【選択図】図１
0003186597.tif 000002
【実用新案登録請求の範囲】
【請求項１】
錠枠内に収容した閂棒を突出入させてサークル錠の枠体を施錠／開錠するサークル錠本体と、前記サークル錠本体の一側部にて所定の回転軸周りをそれぞれ回転操作可能に列設された複数のダイヤル環からなるダイヤル環列と、前記ダイヤル環列のいずれか一端側の近接位置に設けられた可動式の設定変更スイッチと、ダイヤル環列の前記一端側の端部にてスイッチ動作可能に設けられると共にこのスイッチ動作によって施錠したサークル錠本体を開錠させる開錠スイッチと、ダイヤル環列の各ダイヤル環の内側にそれぞれ嵌め込み固定され、ダイヤル環と共に回転することで開錠スイッチのスイッチ動作を制限する複数の開錠制限手段とを具備し、施錠したサークル錠本体において、ダイヤル環列の各ダイヤル環が全て各々の開錠設定に応じた特定の位相状態にあるときにのみ開錠制限手段９による開錠スイッチのスイッチ動作の制限が解除されて開錠可能となり、また、設定変更スイッチをスイッチ動作させたときにのみ各ダイヤル環の開錠設定が変更可能となることを特徴とするダイヤル式サークル錠。
【請求項２】
前記開錠スイッチはダイヤル環列の軸方向に沿う一方向に弾性付勢されてなり、この一方向と反対方向へ押し込み操作されることでスイッチ動作した状態となる請求項１記載のダイヤル式サークル錠。
【請求項３】
前記サークル錠本体の錠枠にはダイヤル環列を収容する切り欠き部が設けられ、前記ダイヤル環列の各ダイヤル環はこの切り欠き部内を貫通した回転軸の周りに列設され、全てのダイヤル環が錠枠に対して少なくとも部分的に露出する請求項１又は２記載のダイヤル式サークル錠。
【請求項４】
前記設定変更スイッチの内部又は側部近傍に設定変更スイッチの可動部に対して突出入可能に収容された設定変更制限手段を具備し、閂棒が錠枠から突出した施錠状態にあるときには設定変更制限手段が設定変更スイッチ側へ突出して接触することで設定変更スイッチのスイッチ動作が制限され、閂棒が錠枠内に突入した開錠状態にあるときには設定変更制限手段が突入して設定変更スイッチと離反することで設定変更スイッチのスイッチ動作が制限解除される請求項１乃至３のいずれかに記載のダイヤル式サークル錠。
【請求項５】
前記開錠スイッチは前記回転軸上にて突出方向に弾性付勢されて配置された、押しボタン操作可能な柱体部を有し、設定変更スイッチは開錠スイッチの突出基部寄りの前記回転軸上に配置された、開錠スイッチよりも大径の円筒体部を有する請求項１乃至４のいずれかに記載のダイヤル式サークル錠。
【請求項６】
前記設定変更スイッチは、各ダイヤル環の中心寄りにて各ダイヤル環に対して任意の回転位相で嵌合される開錠制限手段たる複数の錠穴プレートと、各鍵穴プレートを各ダイヤル環の回転軸方向にスライドさせて嵌合解除状態とするスライド機構とを具備し、各ダイヤル環とこれに対応する鍵穴プレートとは、内歯車状の内嵌合部と平歯車状の外嵌合部からなる嵌合構造によって複数の嵌合位相のうちいずれか任意の回転位相にて嵌合し得る請求項１乃至５のいずれかに記載のダイヤル式サークル錠。
【考案の詳細な説明】
【技術分野】
【０００１】
この考案は、主として自転車などの二輪車用のダイヤル式サークル錠に関するものである。 
【背景技術】
【０００２】
従来、錠ケースの表面部に複数個の押釦を配列し、該ケースの側面部に開錠操作レバーを臨出させた押釦型自転車用錠に関する提案があった（特許文献１）。 
すなわち、この押釦型自転車用錠には、押釦の暗証番号の設定を任意に変更できるようにしたものがある。押釦型自転車用錠は、錠ケースの表面部に臨出する各押釦と、押釦を昇降自在に嵌合する嵌合孔との間に若干のクリアランスがあり、自転車への取り付け後に、このクリアランスから押釦に沿って埃とか雨水が錠ケース内に侵入する虞がある。また、錠ケースの側面部に開錠用の開錠操作レバーを臨出させた錠前にあっては、該レバーを押し入れようとした場合に、錠前の番手に対応して該レバーと係合している押釦が若干沈む現象を起こすことから番手に応じた押釦の位置が分かり、不法に開錠され易いという欠点があった。
【０００３】
以上のことから、従来提案が解決しようとする問題点は、押釦を備え、開錠操作用の開錠レバーを備えたこの種の自転車用錠において、押釦の探り止めを強化することと埃とか雨水がケース内に侵入することを防止して、施錠の信頼性と耐久性を向上させることにあり、上記の課題を解決するために、錠ケースの表面部に複数個の押釦を配列し、該ケースの側面部に開錠操作レバーを臨出させた押釦型自転車用錠であって、上記ケースの表面部に密着する基板部と、基板部上に突設され、上記各押釦に個別に被さり、かつ、それぞれに弾性的に復帰する復元力を具えた中空の収容部とを一体に形成した樹脂製カバーを錠ケースの表面部に貼り付けた。
【０００４】
この押釦型自転車用錠は、押釦を配列した錠ケースの表面部を、貼り付けた樹脂製カバーの基板部で覆い、表面部上に臨出している各押釦は、基板部上に突設されて各押釦に個別に被さり、それぞれに弾性的に自力で復帰する中空の収容部で覆われているので、開錠操作時には、復元力を具えた中空の収容部を押して通常の押釦型自転車用錠と同様に開錠できるが、施錠状態にある錠前を開錠操作レバーを押して探りを入れたときには、その錠前の番手に対応する押釦が若干沈んでも当該の押釦を覆っている中空の収容部には外見上に変化を生じない。そのため、開錠レバーを押して番手に対応する押釦を探り出そうとする探りは不能になる。
【０００５】
また、各押釦の露出部分は、基板部から一体に突設されて押釦に被さる中空の収容部に覆われるので、押釦と嵌合孔と間のクリアランスから埃とか雨水がケース内に侵入する虞が無く、施錠操作、開錠操作が常に円滑にできるので、錠前の耐久性が向上する、という利点を有するものである。
【０００６】
しかし、押釦型自転車用錠は予め工場出荷時に番号が設定されており、好みの暗証番号に設定できなくて覚えにくく使い勝手が悪いという問題があった。 
【先行技術文献】
【特許文献】
【０００７】
【特許文献１】特開２００５−１２７０２６号公報
【考案の概要】
【考案が解決しようとする課題】
【０００８】
そこでこの考案は、好みの暗証内容に設定できて使い勝手がいいダイヤル式サークル錠を提供しようとするものである。 
【課題を解決するための手段】
【０００９】
前記課題を解決するためこの考案では次のような技術的手段を講じている。 
（１）この考案のダイヤル式サークル錠は、錠枠（１）内に収容した閂棒（２）を突出入させてサークル錠の枠体を施錠／開錠するサークル錠本体（３）と、前記サークル錠本体（３）の一側部にて所定の回転軸周りをそれぞれ回転操作可能に列設された複数のダイヤル環（５）からなるダイヤル環列と、前記ダイヤル環列のいずれか一端側の近接位置に設けられた可動式の設定変更スイッチ（６）と、ダイヤル環列の前記一端側の端部にてスイッチ動作可能に設けられると共にこのスイッチ動作によって施錠したサークル錠本体（３）を開錠させる開錠スイッチ（８）と、ダイヤル環列の各ダイヤル環（５）の内側にそれぞれ嵌め込み固定され、ダイヤル環（５）と共に回転することで開錠スイッチのスイッチ動作を制限する複数の開錠制限手段（９）とを具備し、施錠したサークル錠本体（３）において、ダイヤル環列の各ダイヤル環（５）が全て各々の開錠設定に応じた特定の位相状態にあるときにのみ開錠制限手段（９）による開錠スイッチ（８）のスイッチ動作の制限が解除されて開錠可能となり、設定変更スイッチ（６）をスイッチ動作させたときにのみ各ダイヤル環（５）の開錠設定が変更可能となることを特徴とする。
【００１０】
このダイヤル式サークル錠は、錠枠内に収容した閂棒（かんぬきぼう）（２）を突出入させてサークル錠の枠体を施錠／開錠するサークル錠本体（３）を具備し、さらにダイヤル環列のいずれか一端側の近接位置に設けられた可動式の設定変更スイッチ（６）によって各ダイヤル環（５）の開錠設定が変更可能となっているため、２輪車の車体に直接取り付けるサークル錠でありながら、設定変更スイッチ（６）によって開錠設定を変更でき、さらにダイヤル操作によって閂棒（２）を錠枠内で突出入可能となっている。このため比較的簡易な機構でありながら操作性に優れ、かつ開錠番号の設定を変更できて防犯性の高いサークル錠を提供することが出来る。さらにまた、設定変更スイッチ（６）をスイッチ動作させたときにのみ各ダイヤル環（５）の開錠設定が変更可能となるため、設定変更スイッチ（６）がスイッチ動作しない限り、いたずらや意図しない外部接触によって開錠設定が変わることはない。
【００１１】
また、前記サークル錠本体の一側部にて所定の回転軸周りをそれぞれ回転操作可能に列設された複数のダイヤル環（５）からなるダイヤル環列と、ダイヤル環列の前記一端側の端部にてスイッチ動作（例えば往復動）可能に設けられと共にこのスイッチ動作によって施錠したサークル錠本体を開錠させる開錠スイッチと、ダイヤル環列の各ダイヤル環の内側にそれぞれ嵌め込み固定され、ダイヤル環と共に回転することで開錠スイッチのスイッチ動作を制限する複数の開錠制限手段とを具備し、施錠したサークル錠本体において、ダイヤル環列の各ダイヤル環が全て各々の開錠設定に応じた特定の位相状態（暗証内容）にあるときにのみ開錠制限手段による開錠スイッチのスイッチ動作の制限が解除されて開錠可能となるので、ダイヤル環列の各ダイヤル環を開錠設定に応じた特定の位相状態とすると、開錠制限手段による開錠スイッチのスイッチ動作の制限が解除されることとなり、これに従い前記開錠スイッチをスイッチ動作して施錠したサークル錠本体を開錠させることが出来る。
さらに、前記ダイヤル環列のいずれか一端側の近接位置に設けられた可動式の設定変更スイッチを具備し、設定変更スイッチをスイッチ動作（例えば回転押圧動や往復動）させたときにのみ各ダイヤル環の開錠設定が変更可能となるので、好みの暗証内容に設定したり変更したりするときは、設定変更スイッチをスイッチ動作して各ダイヤル環の開錠設定を変更することが出来る。ここで、前記複数のダイヤル環の表示内容として、数字、アルファベット、その他の符号や記号を選択することが出来る。そして、ダイヤル環列の整列時の組み合わせ内容から暗証内容（例えば番号）を設定することが出来る。
【００１２】
（２）前記開錠スイッチ（８）はダイヤル環列の軸方向に沿う一方向に弾性付勢されてなり、この一方向と反対方向へ押し込み操作されることでスイッチ動作した状態となるようにしてもよい。このように構成すると、開錠スイッチ（８）を弾性付勢方向と逆方向に押し込み操作した状態でのみスイッチ動作して単純な操作で開錠状態となると共に、開錠状態となった後に開錠スイッチは自然に弾性復帰するため、開錠スイッチ（８）は解放状態では常にスイッチ動作しないこととなり、常時閉錠状態を維持することとなる。
【００１３】
（３）前記サークル錠本体（８）の錠枠（１）にはダイヤル環列を収容する切り欠き部（１１）が設けられ、前記ダイヤル環列の各ダイヤル環（５）はこの切り欠き部（１１）内を貫通した回転軸の周りに列設され、全てのダイヤル環（５）が錠枠（１）に対して少なくとも部分的に露出するようにしてもよい。このように構成すると、ダイヤル環列を収容する切り欠き部（１１）が設けられ且つ全てのダイヤル環が錠枠に対して少なくとも切欠き部（１１）内で部分的に露出する。このときダイヤル環（５）は環状体からなるため、ダイヤル環（５）の環状の操作部が、切欠き部（１１）周囲の鍵枠（１）よりも前後方向に膨らんで収容されることとなる。このため、本来は場所的に見難く操作し難いサークル錠の操作部であても、環状に膨らんで収容されたダイヤル環（５）によって、ダイヤル表示を見易く、且つ操作しやすくなる。
【００１４】
（４）前記設定変更スイッチ（６）の内部又は側部近傍に設定変更スイッチ（６）の可動部に対して突出入可能に収容された設定変更制限手段（７）を具備し、
閂棒（２）が錠枠（１）から突出した施錠状態にあるときには、設定変更制限手段（７）が設定変更スイッチ（６）側へ突出して接触（圧接ないし係止）することで設定変更スイッチ（６）のスイッチ動作が制限され、
また、閂棒（２）が錠枠（１）内に突入した開錠状態にあるときには、設定変更制限手段（７）が突入して設定変更スイッチ（６）と離反（圧接解除ないし係止解除）することで設定変更スイッチ（６）のスイッチ動作が制限解除されるようにしてもよい。
【００１５】
このように構成すると、施錠状態では設定変更制限手段が設定変更スイッチ側へ突出し接触（圧接ないし係止）して設定変更スイッチのスイッチ動作が制限され、開錠状態では設定変更制限手段が突入し設定変更スイッチと離反（圧接解除ないし係止解除）して設定変更スイッチのスイッチ動作が制限解除されることとなる。
【００１６】
（５）前記開錠スイッチ（８）は前記回転軸上にて突出方向に弾性付勢されて配置された、押しボタン操作可能な柱体部を有し、
前記設定変更スイッチ（６）は開錠スイッチ（８）の突出基部寄りの前記回転軸上に配置された、開錠スイッチ（８）よりも大径の円筒体部を有するようにしてもよい。
【００１７】
このように構成すると、開錠スイッチ（８）（柱体部）と設定変更スイッチ（６）（大径の円筒体部）とが、先端に向かって大径円筒から小径円筒へと段差状に連なって配置され、使い勝手がよいレイアウトとなる。すなわち先端にある比較的細い柱体部の開錠スイッチ８を押し込むことで開錠操作を容易に行うことができ、また、開錠スイッチ８よりも基部寄りの比較的太い円筒体部の設定変更スイッチを押すか回すことで設定変更状態への移行操作を容易に行うことができる。特に設定変更スイッチ６が開錠スイッチ８よりも軸方向内側近傍にて同軸上に且つ互いに異径の円筒として配置されているため、大径の設定変更スイッチのみを小径の設定変更スイッチ６と区別し易く、また開錠スイッチ８の操作と共に設定変更スイッチを回動操作することが容易となる。これは第三者によるいたずら等の、意図しない設定変更操作を防ぐのに効果的である。なお後述の実施例では、上記弾性付勢されたボタン式の開錠スイッチ８を押した状態でなければ開錠スイッチ８の回転操作又は押し込みによるスライド操作ができないようになっている。
【００１８】
（６）前記設定変更スイッチ（６）は、各ダイヤル環（５）の中心寄り（環状体の内部寄り）にて各ダイヤル環（５）に対して任意の回転位相で嵌合される、開錠制限手段（９）たる錠穴プレートを、各ダイヤル環（５）にそれぞれ対応して複数個具備し、且つ、開錠制限手段（９）たる各鍵穴プレートを各ダイヤル環（５）の回転軸方向に沿ってスライドさせて嵌合解除状態とするスライド機構（１０）を具備し、
各ダイヤル環（５）とこれに対応する開錠制限手段（９）たる各鍵穴プレートとは、内歯車状の内嵌合部と平歯車状の外嵌合部からなる嵌合構造によって複数の嵌合位相のうちいずれか任意の回転位相にて嵌合し得るものにしてもよい。
【００１９】
このように構成すると、設定変更スイッチ（６）をスイッチ動作させることにより、スライド機構（１０）が開錠制限手段（９）たる各錠穴プレートをスライドさせ、各ダイヤル環（５）から嵌合解除することで、ダイヤル環（６）と開錠制限手段（９）たる鍵穴プレートとの嵌合位相を自由に可変させ得る状態にすることが出来る。なお後述の実施例ではスライド機構（１０）内にスライド方向に沿って弾性材が収容されており、設定変更スイッチ（６）は常時スイッチ動作方向と反対のスライド方向に弾性付勢されるものとなっている。これにより、設定変更スイッチ（６）に押し込み力を加えている途中の状態、すなわち弾性付勢に抗してスライド移動させたスイッチ動作状態にのみ、嵌合位相を自由に可変させ得る状態となる。そして、前記押し込み力を解除して設定変更スイッチ（６）を開放したときには設定変更スイッチ（６）は元の位置に弾性復帰して、開錠制限手段（９）たる各鍵穴プレートとが再び、内歯車状の内嵌合部と平歯車状の外嵌合部からなる嵌合構造同士が嵌合した状態となる。なお、前記開錠制限手段（９）たる鍵穴プレートの嵌め込み構造は、設定変更スイッチと連動して動く設定変更機構の一機構でもある。
【考案の効果】
【００２０】
この考案は上述のような構成であり、設定変更スイッチをスイッチ動作して各ダイヤル環の開錠設定を変更することが出来るので、好みの暗証内容に設定できて使い勝手がいいダイヤル式サークル錠を提供することが出来るものとなった。 
【図面の簡単な説明】
【００２１】
【図１】この考案のダイヤル式サークル錠の施錠状態の実施形態を説明する全体斜視図。
【図２】この考案のダイヤル式サークル錠の開錠状態の実施形態を説明する全体斜視図。
【図３】図１のダイヤル式サークル錠の施錠状態の要部を説明する断面図。
【図４】図１のダイヤル式サークル錠の鍵穴プレートを嵌合解除状態として設定変更スイッチをスイッチ動作する前の状態を説明する断面図。
【図５】図１のダイヤル式サークル錠の鍵穴プレートを嵌合解除状態として設定変更スイッチをスイッチ動作した後の状態を説明する断面図。
【図６】図４のＡ−Ａ矢視図と図３のＢ−Ｂ矢視図。
【図７】この考案のダイヤル式サークル錠の施錠状態の他の実施形態を説明する全体斜視図。
【図８】この考案のダイヤル式サークル錠の開錠状態の他の実施形態を説明する全体斜視図。
【考案を実施するための形態】
【００２２】
以下、この考案の実施の形態を図面を参照して説明する。 
図１乃至図６に示すように、この実施形態のダイヤル式サークル錠は、錠枠１内に収容した閂棒（かんぬきぼう）２を突出入させてサークル錠の枠体を施錠／開錠するサークル錠本体３を有する。
【００２３】
具体的には、前記サークル錠本体３は、左右に略円弧状に連なると共に下部区間が開口した錠枠１と、この開口した下部区間の一側部内に収納した閂棒２とから構成される。そして、閂棒２の一側部には施錠レバー４が露出固定されており、施錠レバーを反対の他側部に突出させて下部区間の開口を閉じ、施錠状態（図１参照）とする。Ｓはスプリング、Ｃはケーシングである。
【００２４】
また、前記サークル錠本体３の一側部にて、所定の回転軸周りをそれぞれ回転操作可能に列設された３列のダイヤル環５からなるダイヤル環列を有する。前記ダイヤル環５の表示内容として、数字、アルファベット、その他の符号や記号を選択することができ、ダイヤル環列の整列時の組み合わせ内容から暗証内容を設定することが出来る。
【００２５】
さらに、前記ダイヤル環列の一端側の近接位置に設けられた可動式の設定変更スイッチ６を有する。前記設定変更スイッチ６の側部近傍に、設定変更スイッチ６の可動部に対して突出入可能に収容された設定変更制限手段７を具備する。
【００２６】
前記設定変更制限手段７は、本体部７０と、この本体部７０の先端のスライダー式のロック・ピン７１と、このロックロック・ピン７１を戻り方向に付勢するバネ７２と、閂棒２の外周に突設された押圧突起７３と、変位範囲拘束ピン７４と、設定変更スイッチ６に凹設したロック・ピン７１の係止部７５とから形成される（図１、図２）。
【００２７】
そして、図１のように、閂棒２が錠枠１から突出した施錠状態にあるときには設定変更制限手段７（スライダー式のロック・ピン７１）が設定変更スイッチ６側へ突出して接触（圧接ないし係止）することで設定変更スイッチ６のスイッチ動作が制限され（ピン・ロック状態）、閂棒２が錠枠１内に突入した開錠状態にあるときには設定変更制限手段７（スライダー式のロック・ピン７１）が突入して設定変更スイッチ６と離反（圧接解除ないし係止解除）することで設定変更スイッチ６のスイッチ動作が制限解除されるようにしている。
【００２８】
具体的には、施錠状態（図１参照）では、バネ７２の付勢力に抗して閂棒２の外周に突設された押圧突起７３が本体部７０を押し込み、ロック・ピン７１が設定変更スイッチ６の係止部７５と係合して、設定変更スイッチ６を押し込めない状態となっている。一方、開錠状態（図２参照）では、バネ７２により本体部７０が後退して、ロック・ピン７１と設定変更スイッチ６の係止部７５の係合が解除され、設定変更スイッチ６を押し込める状態となる。
【００２９】
ダイヤル環列の前記一端側の端部にてスイッチ動作（往復動）可能に設けられると共に、このスイッチ動作によって施錠したサークル錠本体３を開錠させる開錠スイッチ８を有する。前記開錠スイッチ８は、ダイヤル環列の軸方向に沿う一方向に弾性付勢されてなり、この一方向と反対方向へ押し込み操作されることでスイッチ動作した状態となるようにしている。
【００３０】
前記開錠スイッチ８は、軸体８０（図３参照）を介して他端側に開錠ピン８１が形成されている。開錠スイッチ８を押し込むと、レバー・バネ８２によって前記開錠ピン８の方向に向けて付勢されている略Ｌ字状の施錠レバー８３を連動して押圧することとなる。すると、前記施錠レバー８３が搖動して、その他端側に凸設された係合突起８４が、閂棒２の外周に凹設された窪み部８５から外れて開錠され得る状態となる。
【００３１】
前記開錠スイッチ８は、前記回転軸上にて突出方向に弾性付勢されて配置された、押しボタン操作可能な柱体部を有し、設定変更スイッチ６は開錠スイッチ８の突出基部寄りの前記回転軸上に配置された、開錠スイッチ８よりも大径の円筒体部を有するようにしている。
【００３２】
また、図３乃至図６に示すように、ダイヤル環列の各ダイヤル環５の内側にそれぞれ嵌め込み固定され、ダイヤル環５と共に回転することで開錠スイッチ８のスイッチ動作を制限する複数の開錠制限手段９を具備する。
【００３３】
ここで、上記設定変更スイッチ６は、各ダイヤル環５の中心寄りにて各ダイヤル環５に対して任意の回転位相で嵌合される開錠制限手段９たる複数の錠穴プレート（９）と、各錠穴プレートを各ダイヤル環５の回転軸方向にスライドさせて嵌合解除状態とするスライド機構（バネ）１０とを具備し、各ダイヤル環５とこれに対応する錠穴プレート（９）とは、内歯車状の内嵌合部と平歯車状の外嵌合部からなる嵌合構造によって複数の嵌合位相のうちいずれか任意の回転位相にて嵌合し得るものようにした。
【００３４】
具体的には、ダイヤル環５の内周には開錠制限手段９（鍵穴プレート）との挿通凹部５0が１０箇所形成され、開錠制限手段９（鍵穴プレート）の外周にはダイヤル環５との係合凸部90が５箇所形成されており、複数の嵌合位相のうちいずれか任意の回転位相にて嵌合し得るようにしている。
【００３５】
また、開錠制限手段９（鍵穴プレート）の内周には、挿通凹部91が対称の位置に２箇所形成されている。設定変更スイッチ６の外周には、開錠制限手段９（鍵穴プレート）との係合凸部６０が１箇所形成されている。開錠スイッチ８の軸体８０の外周には、開錠制限手段９（鍵穴プレート）及び設定変更スイッチ６との係合凸条８６が１箇所形成されている。設定変更スイッチ６には欠環部６１が、前記係合凸部６０との対象の位置に１箇所形成されている。
【００３６】
そして、開錠スイッチ８の軸体８０の外周の係合凸条８６が、開錠制限手段９（鍵穴プレート）の挿通凹部91と整合すると、開錠の制限が解除されることになる。さらに、開錠スイッチ８の軸体８０の外周の係合凸条８６が、設定変更スイッチ６の欠環部６１と整合すると、暗証内容の設定の変更が可能な状態になる。
【００３７】
そして、施錠したサークル錠本体３において、ダイヤル環列の各ダイヤル環５が全て各々の開錠設定に応じた特定の位相状態にあるときにのみ開錠制限手段９による開錠スイッチ８のスイッチ動作の制限が解除されて開錠可能となり、設定変更スイッチ６をスイッチ動作（往復動）させたときにのみ各ダイヤル環５の開錠設定が変更可能となるようにしている。
【００３８】
具体的には、図３に示す施錠状態から、図４に示す開錠制限手段９（錠穴プレート）を嵌合解除状態として設定変更スイッチ６をスイッチ動作（往復動）する前の状態を経て、図５に示す開錠制限手段９（錠穴プレート）を嵌合解除状態として設定変更スイッチ６をスイッチ動作（往復動）した後の状態となる。そして、この図５の状態において、各ダイヤル環５を回転させて所望の開錠設定へと変更する。変更の最中には、スライド機構１０の付勢押圧力が手に伝わってくるので設定を変更中であることが感覚的に判別し易いこととなる。
【００３９】
次に、この実施形態のダイヤル式サークル錠の使用状態を説明する。 
図１及び図２に示すように、このダイヤル式サークル錠は、錠枠１内に収容した閂棒２を突出入させてサークル錠の枠体を施錠／開錠するサークル錠本体３を具備するので、閂棒２を錠枠１内で突出入させることによりサークル錠の枠体を施錠状態や開錠状態とすることが出来る。
【００４０】
また、図３乃至図６に示すように、施錠したサークル錠本体３において、ダイヤル環列の各ダイヤル環５が全て各々の開錠設定に応じた特定の位相状態（暗証内容）にあるときにのみ開錠制限手段９による開錠スイッチ８のスイッチ動作の制限が解除されて開錠可能となるので、ダイヤル環列の各ダイヤル環５を開錠設定に応じた特定の位相状態とすると、開錠制限手段９による開錠スイッチ８のスイッチ動作の制限が解除されることとなり、これに従い前記開錠スイッチ８をスイッチ動作して施錠したサークル錠本体３を開錠させることが出来る。
【００４１】
さらに、前記ダイヤル環列のいずれか一端側の近接位置に設けられた可動式の設定変更スイッチ６を具備し、設定変更スイッチ６をスイッチ動作（往復動）させたときにのみ各ダイヤル環５の開錠設定が変更可能となるので、好みの暗証内容に設定したり変更したりするときは、設定変更スイッチ６をスイッチ動作して各ダイヤル環５の開錠設定を変更することが出来る。
【００４２】
そのうえ、前記開錠スイッチ８は、ダイヤル環列の軸方向に沿う一方向に弾性付勢されてなり、この一方向と反対方向へ押し込み操作されることでスイッチ動作した状態となるようにしているので、開錠スイッチ８を押し込み操作することによりスイッチ動作して単純な操作で開錠状態となると共に、開錠状態となった後に開錠スイッチ８は自然に弾性復帰することとなる。
【００４３】
さらに、前記設定変更スイッチ６の側部近傍に設定変更スイッチ６の可動部に対して突出入可能に収容された設定変更制限手段７（スライダー式のロック・ピン７１）を具備し、閂棒２が錠枠１から突出した施錠状態にあるときには設定変更制限手段７（スライダー式のロック・ピン７１）が設定変更スイッチ６側へ突出して接触（圧接ないし係止）することで設定変更スイッチ６のスイッチ動作が制限され（ピン・ロック状態）、閂棒２が錠枠１内に突入した開錠状態にあるときには設定変更制限手段７（スライダー式のロック・ピン７１）が突入して設定変更スイッチ６と離反（圧接解除ないし係止解除）することで設定変更スイッチ６のスイッチ動作が制限解除されるようにしているので、施錠状態では設定変更制限手段７（スライダー式のロック・ピン７１）が設定変更スイッチ６側へ突出し接触（圧接ないし係止）して設定変更スイッチ６のスイッチ動作が制限され、開錠状態では設定変更制限手段７（スライダー式のロック・ピン７１）が突入し設定変更スイッチ６と離反（圧接解除ないし係止解除）して設定変更スイッチ６のスイッチ動作が制限解除されることとなる。
【００４４】
前記開錠スイッチ８は前記回転軸上にて突出方向に弾性付勢されて配置された、押しボタン操作可能な柱体部を有し、設定変更スイッチ６は開錠スイッチ８の突出基部寄りの前記回転軸上に配置された、開錠スイッチ８よりも大径の円筒体部を有するようにしているので、開錠スイッチ８（柱体部）と設定変更スイッチ（大径の円筒体部）の位置関係を使い勝手がよいレイアウトとすることが出来る。
【００４５】
前記設定変更スイッチ６は、各ダイヤル環５の中心寄りにて各ダイヤル環５に対して任意の回転位相で嵌合される複数の開錠制限手段９たる錠穴プレートと、各錠穴プレートを各ダイヤル環５の回転軸方向にスライドさせて嵌合解除状態とするスライド機構１０とを具備し、各ダイヤル環５とこれに対応する錠穴プレートとは、内歯車状の内嵌合部と平歯車状の外嵌合部からなる嵌合構造によって複数の嵌合位相のうちいずれか任意の回転位相にて嵌合し得るようにしたので、設定変更スイッチ６をスイッチ動作させることにより、スライド機構１０が各錠穴プレートをスライドさせ、各ダイヤル環５から嵌合解除することでダイヤル環５と錠穴プレートとの嵌合位相を可変させることが出来る。
【００４６】
次に他の実施形態を、上記実施形態との相違点を中心として説明する。
【００４７】
図７及び図８に示すように、実施例２のダイヤル式サークル錠は、施錠したサークル錠本体３において、４列のダイヤル環列の各ダイヤル環５が全て各々の開錠設定に応じた特定の位相状態にあるときにのみ開錠制限手段９による開錠スイッチ８のスイッチ動作の制限が解除されて開錠可能となり、設定変更スイッチ６をスイッチ動作（上記実施形態のような往復動ではなく回転押圧動）させたときにのみ各ダイヤル環５の開錠設定が変更可能となるようにしている。
【００４８】
具体的には、設定変更スイッチ６を回転方向にスイッチ動作（回転押圧動）することにより、本体内に内装された斜板カム機構（図示せず）によって開錠制限手段９（鍵穴プレート）をスライド機構１０の付勢力に抗して進行させ、各ダイヤル環５から嵌合解除することでダイヤル環５と錠穴プレートとの嵌合位相を可変させることが出来る。
【００４９】
したがって、前記ダイヤル環列のいずれか一端側の近接位置に設けられた可動式の設定変更スイッチ６を具備し、設定変更スイッチ６をスイッチ動作（回転押圧動）させたときにのみ各ダイヤル環５の開錠設定が変更可能となるので、好みの暗証内容に設定したり変更したりするときは、設定変更スイッチ６をスイッチ動作して各ダイヤル環５の開錠設定を変更することが出来る。
【００５０】
また、前記サークル錠本体３の錠枠１にはダイヤル環列を収容する切り欠き部１１が設けられ、前記ダイヤル環列の各ダイヤル環５はこの切り欠き部１１内を貫通した回転軸の周りに列設され、全てのダイヤル環５が錠枠１に対して少なくとも部分的に露出するようにしているので、ダイヤル環列を収容する切り欠き部１１が設けられ且つ全てのダイヤル環５が錠枠１に対して少なくとも部分的に露出するので、本来は場所的に見難いサークル錠のダイヤル環５が見易くなって操作がし易くなる。
【産業上の利用可能性】
【００５１】
好みの暗証内容に設定できて使い勝手がいいことによって、種々のダイヤル式サークル錠の用途に適用することができる。 
【符号の説明】
【００５２】
１  錠枠
２  閂棒
３  サークル錠本体
５  ダイヤル環
６  設定変更スイッチ
７  設定変更制限手段
８  開錠スイッチ
９  開錠制限手段（鍵穴プレート）
１０  スライド機構
１１  切り欠き部
【図１】
0003186597.tif 000003
【図２】
0003186597.tif 000004
【図３】
0003186597.tif 000005
【図４】
0003186597.tif 000006
【図５】
0003186597.tif 000007
【図６】
0003186597.tif 000008
【図７】
0003186597.tif 000009
【図８】
0003186597.tif 000010